(57)【要約】  ２次元コード自体が注目されやすく、かつ、２次元コードを見る者にとって目的のコードであるか否かの判別が容易である特徴的な２次元コードを表示する２次元コード表示媒体を提供する。  本発明の２次元コード表示媒体は、２次元コードを表示するための表示領域を有する情報表示面を備え、前記情報表示面は方形であり、前記２次元コードの１辺と前記情報表示面の１辺がなす角は斜角であることを特徴とする。また、前記斜角は、４５度であることが好ましい。
2019053860.tif 000002
【特許請求の範囲】
【請求項１】
２次元コードを表示するための表示領域を有する情報表示面を備える２次元コード表示媒体において、
前記情報表示面は方形であり、前記２次元コードの１辺と前記情報表示面の１辺がなす角は斜角であることを特徴とする２次元コード表示媒体。
【請求項２】
２次元コードを表示するための表示領域を有する情報表示面を備える２次元コード表示媒体において、
前記表示領域は複数であり、第１表示領域には２次元コードが表示され、第２表示領域には１次元コードまたは他の２次元コードが表示され、前記第１表示領域の前記２次元コードの１辺と前記第２表示領域の前記１次元コードの直線または前記他の２次元コードの１辺がなす角は斜角であることを特徴とする２次元コード表示媒体。
【請求項３】
２次元コードを表示するための表示領域を有する情報表示面を備える２次元コード表示媒体において、
前記情報表示面は情報文字列が付され、前記２次元コードの１辺と前記情報文字列の文字列方向の仮想罫線または実罫線がなす角は斜角であることを特徴とする２次元コード表示媒体。
【請求項４】
前記２次元コードの外側に、前記２次元コードの１辺と平行に付記文字列を表示することを特徴とする請求項１から３のいずれかに記載の２次元コード表示媒体。
【請求項５】
前記斜角は４５度であることを特徴とする請求項１から４のいずれかに記載の２次元コード表示媒体。
【発明の詳細な説明】
【技術分野】
【０００１】
本発明は、２次元コードに関するものであり、詳しくは２次元コードを表示するための２次元コード表示媒体に関するものである。
【背景技術】
【０００２】
近年、２次元コードは様々な分野で利用される。例えば、製造業において製品ごとに固有の２次元コードを付すことによって、生産管理、在庫管理、棚卸し等の管理業務を効率化し、正確性を担保することができる。特に、小型の商品を目視で管理しようとすると誤認が発生しやすいが、２次元コードをリーダーで読み取りサーバーで管理することによって、商品の取り違いを防止することができる。
【発明の概要】
【発明が解決しようとする課題】
【０００３】
ところで、製品に付す２次元コードは、視認性に問題がある場合がある。例えば、２次元コードの周囲に記号や文字列等が整然と併記され、２次元コードが目立たない等の要因により、２次元コードを見つけることが困難であることがある。【０００４】
また、複数の２次元コードを表示する場合がある。例えば、表示領域の制約によって２次元コードを複数に分割する必要がある場合、製造元が管理するための２次元コードと対外的に開示する２次元コードを併記する場合等がある。２次元コードを複数に分割した場合は、表示された２次元コードを全て読み取ることが前提であり、全て読み取らなければエラーとなるため読み取り時にミスが生じることは少ない。他方で、管理するための２次元コードと対外的に開示する２次元コードを併記した場合は、対外的に開示する２次元コードを読み取る必要がある場合に、管理するための２次元コードを読み取って誤りに気付かないという事象の発生が懸念される。特に、管理するための２次元コードと対外的に開示する２次元コードの規格が同じである場合に、このようなミスが発生しやすい。【０００５】
そこで、本発明は、２次元コード自体が注目されやすく、かつ、２次元コードを見る者にとって目的のコードであるか否かの判別が容易である特徴的な２次元コードを表示する２次元コード表示媒体を提供することを目的とする。
【課題を解決するための手段】
【０００６】
本発明の２次元コード表示媒体は、前記した目的を達成せんとするもので、請求項１の手段は、２次元コードを表示するための表示領域を有する情報表示面を備える２次元コード表示媒体において、前記情報表示面は方形であり、前記２次元コードの１辺と前記情報表示面の１辺がなす角は斜角であることを特徴とする。【０００７】
請求項２の手段は、２次元コードを表示するための表示領域を有する情報表示面を備える２次元コード表示媒体において、前記表示領域は複数であり、第１表示領域には２次元コードが表示され、第２表示領域には１次元コードまたは他の２次元コードが表示され、前記第１表示領域の前記２次元コードの１辺と前記第２表示領域の前記１次元コードの直線または前記他の２次元コードの１辺がなす角は斜角であることを特徴とする。【０００８】
請求項３の手段は、２次元コードを表示するための表示領域を有する情報表示面を備える２次元コード表示媒体において、前記情報表示面は情報文字列が付され、前記２次元コードの１辺と前記情報文字列の文字列方向の仮想罫線または実罫線がなす角は斜角であることを特徴とする。【０００９】
請求項４の手段は、前記２次元コードの外側に、前記２次元コードの１辺と平行に付記文字列を表示することを特徴とする。【００１０】
請求項５の手段は、前記斜角は４５度であることを特徴とする。
【発明の効果】
【００１１】
請求項１の構成によって、本発明の２次元コード表示媒体は、表示されたコードの規格を遵守しながら、コードを見る者に情報表示面との対比によるコードの傾斜を認識させ、コードの判別性および注目度の向上に寄与する。【００１２】
また、請求項２の構成によって、本発明の２次元コード表示媒体は、１つの製品に複数のコードを用い、一方は提供先への開示用、他方は提供元での管理用というように使い分ける場合であって、２つのコードの規格が同じであっても、直ちにコードの判別が可能となるとともに、珍しい表現として注目度を高めることができる。【００１３】
また、請求項３の構成によって、本発明の２次元コード表示媒体は、表示されたコードの規格を遵守しながら、コードを見る者に情報文字列との対比によるコードの傾斜を認識させ、コードの判別性および注目度の向上に寄与する。【００１４】
また、請求項４の構成によって、本発明の２次元コード表示媒体は、表示されたコードの規格を遵守しながら、コードを見る者にコードの傾斜を認識させ、併せてコードと一体のものとして関連付けられるロゴ文字列やコードの内容に注目を集めることができる。【００１５】
また、請求項５の構成によって、本発明の２次元コード表示媒体は、規則性を維持しつつも自己主張があるという印象を、表示されたコードを見る者に与えるという効果を期待することができる。
【図面の簡単な説明】
【００１６】
【図１】実施例１における２次元コード表示媒体に２次元コードを表示した正面図である。
【図２】実施例２における２次元コード表示媒体に２次元コードおよび付記文字列を表示した正面図である。
【図３】実施例３における２次元コード表示媒体に複数の２次元コードを表示した正面図である。
【図４】実施例３における２次元コード表示媒体に２次元コードおよび１次元コードを表示した正面図である。
【図５】実施例４における２次元コード表示媒体に２次元コードを情報文字列とともに表示した正面図である。
【発明を実施するための形態】
【００１７】
以下、本発明を実施するための形態を図面とともに説明する。
【実施例１】
【００１８】
図１は、ラベル１に２次元コード１０を表した正面図である。本実施例の２次元コード表示媒体であるラベル１は、全体が情報表示面１１である。ラベル１は、情報表示面１１に２次元コード１０を表示するための表示領域１２を有する。表示領域１２はマージン１３を確保している。ラベル１の情報表示面１１および表示領域１２は方形であり、２次元コード１０の１辺と情報表示面１１の１辺がなす角は斜角である。ここで、２次元コード１０の１辺とは、方形に配置されたコードのセルにおいて、当該方形の１辺をいう。従って、２次元コード１０は、表示領域１２において正面視斜めに表示される。【００１９】
２次元コード１０のように、縦横に情報をもつコードは、一般的に、位置決めのためのフレームやシンボルを内包している。そのため、本実施例のように、２次元コード１０の１辺と情報表示面１１の１辺がなす角は斜角となっていても、コードの読み取りに支障は無い。本実施例の２次元コード表示媒体であるラベル１は、表示されたコードの規格を遵守しながら、コードを見る者に情報表示面との対比によるコードの傾斜表現を認識させ、コードの判別性および注目度の向上に寄与する。【００２０】
ここで、本実施例の２次元コード１０は正方形であるが、他の方形、例えば長方形であってもよい。また、本実施例の表示領域１２は正方形であるが、正方形である２次元コード１０の内包が可能であれば形状は限定されるものではない。また、図１におけるラベル１の表示領域１２の一点鎖線の位置に境界線が現れていてもよい。また、本実施例においては、表示領域１２は情報表示面１１の右下方に位置しているが、表示領域１２の位置は限定されるものではなく、隅部および辺部の近傍、中央部またはそれらの中間のいずれであってもよい。また、本実施例においては、２次元コード１０および表示領域１２のサイズも限定はなく、ラベル１に対する相対的なサイズの限定もない。
【実施例２】
【００２１】
図２は、包装用箱２に２次元コード２０を表した正面図である。本実施例の２次元コード表示媒体である包装用箱２は、前面が情報表示面２１であるが、複数の、あるいは全ての面が情報表示面２１であってもよい。包装用箱２は、情報表示面２１に２次元コード２０を表示するための表示領域２２を有する。表示領域２２はマージン２３を確保している。本実施例の包装用箱２の情報表示面２１は方形であり、２次元コード２０の１辺と情報表示面２１の１辺がなす角は斜角である。ここで、２次元コード２０の１辺とは、方形に配置されたコードのセルにおいて、当該方形の１辺をいう。従って、２次元コード２０は、表示領域２２において正面視斜めに表示される。【００２２】
本実施例においては、包装用箱２は、２次元コード２０の外側に、２次元コード２０の１辺と平行に付記文字列２４を正面視斜めに表示している。具体的には、表示領域２２の外側の右下の１箇所に、２次元コード２０の１辺と平行に付記文字列２４を表示している。付記文字列２４の例としては、ロゴ文字列やコードの内容が挙げられる。付記文字列２４は、２次元コード２０の外側であり、かつ、２次元コード２０の１辺と平行であれば、場所を限定されるものではなく、１つのコードに対して複数あってもよい。本実施例の２次元コード表示媒体である包装用箱２は、表示されたコードの規格を遵守しながら、コードを見る者にコードの傾斜を認識させ、併せてコードと一体のものとして関連付けられるロゴ文字列やコードの内容に注目を集めることができる。【００２３】
ここで、本実施例の２次元コード２０は正方形であるが、他の方形、例えば長方形であってもよい。また、本実施例の表示領域２２は正方形であるが、正方形である２次元コード２０の内包が可能であれば形状は限定されるものではない。また、図２における包装用箱２の表示領域２２の一点鎖線の位置に境界線が現れていてもよい。また、本実施例においては、表示領域２２は情報表示面２１の右下方に位置しているが、表示領域２２の位置は限定されるものではなく、隅部および辺部の近傍、中央部またはそれらの中間のいずれであってもよい。また、本実施例においては、２次元コード２０および表示領域２２のサイズも限定はなく、包装用箱２に対する相対的なサイズの限定もない。隅部に表示領域２２を設ける場合は、三角形状の空き領域ができるので、付記文字列２４の他にも空き領域の形に即した図柄等を配置することも可能である。また、中央部に表示領域２２を設ける場合は、表示領域２２を囲むような図柄を配置することも可能である。
【実施例３】
【００２４】
図３は、ラベル３に２次元コード３０を表した正面図である。本実施例の２次元コード表示媒体であるラベル３は、全体が情報表示面３１である。ラベル３は、情報表示面３１に２次元コード３０を表示するための表示領域３２を有する。表示領域３２はマージン３３を確保している。本実施例においては、表示領域３２は複数であり、第１表示領域は表示領域３２ａ、第２表示領域は表示領域３２ｂである。２次元コード３０ａは表示領域３２ａに、２次元コード３０ｂは表示領域３２ｂにそれぞれ表示される。表示領域３２ａはマージン３３ａを、表示領域３２ｂはマージン３３ｂをそれぞれ確保している。２次元コード３０ａの１辺と２次元コード３０ｂの１辺がなす角は斜角である。ここで、２次元コード３０ａおよび２次元コード３０ｂの１辺とは、方形に配置されたコードのセルにおいて、当該方形の１辺をいう。【００２５】
２次元コード３０ａおよび２次元コード３０ｂのように、１つの製品に複数のコードを用い、一方は提供先への開示用、他方は提供元での管理用というように使い分けることがある。本実施例のように、一方のコードの１辺と他方のコードの１辺がなす角が斜角であれば、少なくとも一方は正面視斜めに見ることになり、２つのコードの規格が同じであっても、直ちにコードの判別が可能となるとともに、珍しい表現として注目度を高めることができる。【００２６】
ここで、本実施例の２次元コード３０は正方形であるが、他の方形、例えば長方形であってもよい。また、本実施例の表示領域３２は正方形であるが、正方形である２次元コード３０の内包が可能であれば形状は限定されるものではない。また、図３におけるラベル３の表示領域３２の一点鎖線の位置に境界線が現れていてもよい。また、本実施例においては、第１表示領域である表示領域３２ａはラベル３の右下方に、第２表示領域である表示領域３２ｂはラベル３の左上方に位置しているが、表示領域３２の位置は限定されるものではなく、隅部および辺部の近傍、中央部またはそれらの中間のいずれであってもよい。また、本実施例においては、２次元コード３０および表示領域３２のサイズも限定はなく、ラベル３に対する相対的なサイズの限定もない。しかしながら、図３のように、２次元コード３０ａと２次元コード３０ｂのサイズが異なる場合は、コードの判別がより容易となる。【００２７】
また、複数の表示領域３２は、必ずしも同一の情報表示面３１にある必要は無く、例えば、表面に第１表示領域、裏面に第２表示領域があってもよい。この場合でも、一方のコードの１辺と他方のコードの１辺がなす角が斜角であれば、少なくとも一方は正面視斜めに見ることになり、本発明の技術的範囲に含まれる。【００２８】
また、本実施例におけるコードの一方は１次元コードであってもよい。図４は、ラベル３に２次元コード３０を表した正面図であり、図３と同様に、マージン３３を確保した複数の表示領域３２を有する。第１表示領域は表示領域３２ａ、第２表示領域は表示領域３２ｃである。２次元コード３０ａは表示領域３２ａに、１次元コード３０ｃは、表示領域３２ｃにそれぞれ表示される。表示領域３２ａはマージン３３ａを、表示領域３２ｃはマージン３３ｃをそれぞれ確保している。ここで、表示領域３２ｃは長方形である。この場合でも、２次元コード３０ａの１辺と１次元コード３０ｃの直線がなす角が斜角であれば、一方は正面視斜めに見ることになり、本発明の技術的範囲に含まれる。ここで、１次元コードの直線とは、当該１次元コードに表示される全て平行に配置された直線状のバーのことをいう。
【実施例４】
【００２９】
図５は、ラベル４に２次元コード４０を表した正面図である。本実施例の２次元コード表示媒体であるラベル４は、全体が情報表示面４１である。ラベル４は、情報表示面４１に２次元コード４０を表示するための表示領域４２を有する。表示領域４２はマージン４３を確保している。本実施例においては、情報表示面４１には情報文字列４４が付されており、２次元コード４０の１辺と情報文字列４４の文字列方向の仮想罫線４５がなす角は斜角である。ここで、２次元コード４０の１辺とは、方形に配置されたコードのセルにおいて、当該方形の１辺をいう。【００３０】
ここで、情報文字列４４は、例えば、製品の仕様等を表す文字列である。本実施例の仮想罫線４５は、実際には情報表示面４１に表記されていないが、実罫線として表示されていてもよい。仮想罫線４５は、実際には表記されてなくても、情報文字列４４の字間や行間の設定によって、情報文字列４４を見る者に認識される。【００３１】
本実施例のように、２次元コード４０の１辺と情報文字列４４の文字列方向の仮想罫線４５がなす角が斜角となるように２次元コード４０を表示することによって、情報表示面４１の形状によらずとも、２次元コード４０が正面視斜めに表示されているものと認識させることが可能となる。本実施例の２次元コード表示媒体であるラベル４は、表示されたコードの規格を遵守しながら、コードを見る者に情報文字列４４との対比によるコードの傾斜表現を認識させ、コードの判別性および注目度の向上に寄与する。【００３２】
ここで、本実施例の２次元コード４０は正方形であるが、他の方形、例えば長方形であってもよい。また、本実施例の表示領域４２は正方形であるが、正方形である２次元コード４０の内包が可能であれば形状は限定されるものではない。また、図５におけるラベル４の表示領域４２の一点鎖線の位置に境界線が現れていてもよい。また、本実施例においては、表示領域４２はラベル４の右下方に位置しているが、表示領域４２の位置は限定されるものではなく、隅部および辺部の近傍、中央部またはそれらの中間のいずれであってもよい。例えば、表示領域４２は、情報文字列４４の近傍にあってもよく、表示領域４２の周辺に情報文字列４４が配置されてもよい。また、本実施例においては、２次元コード４０および表示領域４２のサイズも限定はなく、ラベル４に対する相対的なサイズの限定もない。【００３３】
各実施例において、２次元コード表示媒体として、ラベル、包装用箱等の、方形で平面の情報表示面を有する物品を例示したが、２次元コード表示媒体はこれらに限定されるものではなく、本発明は、円柱状、球状等の、情報表示面に曲面を有する物品や、情報表示面に凹凸面を有する物品に適用することが可能である。例えば、封筒、ビニール袋、缶、ペットボトル、ピロー包装の物品等が挙げられ、コードが印字、表示可能な物品であれば、本発明の適用が可能であり、本発明の技術的範囲に含まれる。【００３４】
また、各実施例における斜角は、度数法において、３０度以上６０度以下であることが好ましく、４５度であることがより好ましい。当該斜角が３０度以上６０度以下であることによって、コードの傾斜表現が見落とされることなく、はっきりと認識される。また、４５度は、直角のちょうど半分の角度であり、当該斜角をもって正面視斜めにコードを表示することによって、規則性を維持しつつも自己主張があるという印象を、表示されたコードを見る者に与えるという効果を期待することができる。
【符号の説明】
【００３５】
１…ラベル、１０…２次元コード、１１…情報表示面、１２…表示領域、１３…マージン。
２…包装用箱、２０…２次元コード、２１…情報表示面、２２…表示領域、２３…マージン、２４…付記文字列。
３…ラベル、３０…２次元コード、３１…情報表示面、３２…表示領域、３３…マージン。
４…ラベル、４０…２次元コード、４１…情報表示面、４２…表示領域、４３…マージン、４４…情報文字列、４５…仮想罫線。
【図１】
2019053860.tif 000003
【図２】
2019053860.tif 000004
【図３】
2019053860.tif 000005
【図４】
2019053860.tif 000006
【図５】
2019053860.tif 000007
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
２次元コードを表示するための表示領域を有する情報表示面を備える２次元コード表示媒体において、
前記表示領域は複数であり、第１表示領域には前記２次元コードが表示され、第２表示領域には１次元コードまたは他の２次元コードが表示され、前記第１表示領域の前記２次元コードの１辺と前記第２表示領域の前記１次元コードの直線または前記他の２次元コードの１辺がなす角は斜角であり、前記第１表示領域の前記２次元コードと、前記第２表示領域の前記１次元コードの直線または前記他の２次元コードとの内容が異なることを特徴とする２次元コード表示媒体。
【請求項２】
前記情報表示面は情報文字列が付され、前記２次元コードの１辺と前記情報文字列の文字列方向の仮想罫線または実罫線がなす角は斜角であることを特徴とする請求項１に記載の２次元コード表示媒体。
【請求項３】
前記２次元コードの外側に、前記２次元コードの１辺と平行に付記文字列を表示することを特徴とする請求項１または２に記載の２次元コード表示媒体。
【請求項４】
記斜角は４５度であることを特徴とする請求項１から３のいずれかに記載の２次元コード表示媒体。
【手続補正２】
【補正対象書類名】明細書
【補正対象項目名】０００６
【補正方法】変更
【補正の内容】
【０００６】
本発明の２次元コード表示媒体は、前記した目的を達成せんとするもので、請求項１の手段は、２次元コードを表示するための表示領域を有する情報表示面を備える２次元コード表示媒体において、前記表示領域は複数であり、第１表示領域には前記２次元コードが表示され、第２表示領域には１次元コードまたは他の２次元コードが表示され、前記第１表示領域の前記２次元コードの１辺と前記第２表示領域の前記１次元コードの直線または前記他の２次元コードの１辺がなす角は斜角であり、前記第１表示領域の前記２次元コードと、前記第２表示領域の前記１次元コードの直線または前記他の２次元コードとの内容が異なることを特徴とする。
【手続補正３】
【補正対象書類名】明細書
【補正対象項目名】０００８
【補正方法】変更
【補正の内容】
【０００８】
請求項２の手段は、２次元コードを表示するための表示領域を有する情報表示面を備える２次元コード表示媒体において、前記情報表示面は情報文字列が付され、前記２次元コードの１辺と前記情報文字列の文字列方向の仮想罫線または実罫線がなす角は斜角であることを特徴とする。
【手続補正４】
【補正対象書類名】明細書
【補正対象項目名】０００９
【補正方法】変更
【補正の内容】
【０００９】
請求項３の手段は、前記２次元コードの外側に、前記２次元コードの１辺と平行に付記文字列を表示することを特徴とする。
【手続補正５】
【補正対象書類名】明細書
【補正対象項目名】００１０
【補正方法】変更
【補正の内容】
【００１０】
請求項４の手段は、前記斜角は４５度であることを特徴とする。
【手続補正６】
【補正対象書類名】明細書
【補正対象項目名】００１１
【補正方法】変更
【補正の内容】
【００１１】
請求項１の構成によって、本発明の２次元コード表示媒体は、表示されたコードの規格を遵守しながら、コードを見る者に情報表示面との対比によるコードの傾斜を認識させ、コードの判別性および注目度の向上に寄与するとともに、１つの製品に複数のコードを用い、一方は提供先への開示用、他方は提供元での管理用というように使い分ける場合であって、２つのコードの規格が同じであっても、直ちにコードの判別が可能となるとともに、珍しい表現として注目度を高めることができる。
【手続補正７】
【補正対象書類名】明細書
【補正対象項目名】００１３
【補正方法】変更
【補正の内容】
【００１３】
また、請求項２の構成によって、本発明の２次元コード表示媒体は、表示されたコードの規格を遵守しながら、コードを見る者に情報文字列との対比によるコードの傾斜を認識させ、コードの判別性および注目度の向上に寄与する。
【手続補正８】
【補正対象書類名】明細書
【補正対象項目名】００１４
【補正方法】変更
【補正の内容】
【００１４】
また、請求項３の構成によって、本発明の２次元コード表示媒体は、表示されたコードの規格を遵守しながら、コードを見る者にコードの傾斜を認識させ、併せてコードと一体のものとして関連付けられるロゴ文字列やコードの内容に注目を集めることができる。
【手続補正９】
【補正対象書類名】明細書
【補正対象項目名】００１５
【補正方法】変更
【補正の内容】
【００１５】
また、請求項４の構成によって、本発明の２次元コード表示媒体は、規則性を維持しつつも自己主張があるという印象を、表示されたコードを見る者に与えるという効果を期待することができる。
【手続補正１０】
【補正対象書類名】明細書
【補正対象項目名】０００７
【補正方法】削除
【補正の内容】
【手続補正１１】
【補正対象書類名】明細書
【補正対象項目名】００１２
【補正方法】削除
【補正の内容】
【手続補正書】
【提出日】令和1年11月12日(2019.11.12)
【手続補正１】
【補正対象書類名】特許請求の範囲
【補正対象項目名】請求項１
【補正方法】変更
【補正の内容】
【請求項１】
２次元コードを表示するための表示領域を有する情報表示面を備える２次元コード表示媒体において、
前記表示領域は複数であり、第１表示領域には前記２次元コードが表示され、第２表示領域には１次元コードまたは他の２次元コードが表示され、前記第１表示領域の前記２次元コードの１辺と前記第２表示領域の前記１次元コードの直線または前記他の２次元コードの１辺がなす角は斜角であり、前記第１表示領域の前記２次元コードと、前記第２表示領域の前記１次元コードまたは前記他の２次元コードとの内容が異なることを特徴とする２次元コード表示媒体。
【手続補正２】
【補正対象書類名】明細書
【補正対象項目名】０００６
【補正方法】変更
【補正の内容】
【０００６】
本発明の２次元コード表示媒体は、前記した目的を達成せんとするもので、請求項１の手段は、２次元コードを表示するための表示領域を有する情報表示面を備える２次元コード表示媒体において、前記表示領域は複数であり、第１表示領域には前記２次元コードが表示され、第２表示領域には１次元コードまたは他の２次元コードが表示され、前記第１表示領域の前記２次元コードの１辺と前記第２表示領域の前記１次元コードの直線または前記他の２次元コードの１辺がなす角は斜角であり、前記第１表示領域の前記２次元コードと、前記第２表示領域の前記１次元コードまたは前記他の２次元コードとの内容が異なることを特徴とする。
【国際調査報告】
2019053860.tif 000008
2019053860.tif 000009